(57)【要約】【課題】排水口への装着品の取付が容易であり、この装着品の取付によっても着座安定性が阻害されにくい給水器１を提供すること。【解決手段】台座部２、台座部から立ち上がるように取り付けられた管路部３とを備え、台座部２が、受水開口部４と、上面に形成された給水開口部５と、これら両開口部４、５を連通する台座流路６とを有し、管路部３が、上記給水開口部５に接続される入水口８と、先端に形成された排水口９と、入水口８と排水口９との間に形成された、上記給水開口部５から水平方向に変位した横変位部１１とを有しており、排水口９が、平面視で、横変位部１１から給水開口部５側に離間して位置しており、管路部３の排水口９の上下方向における位置が、上記横変位部１１の上下方向の範囲内に存在している。【選択図】図２
2013007185.tif 000002
【特許請求の範囲】
【請求項１】
台座部と、台座部から立ち上がるように台座部に取り付けられた管路部とを備えた給水器であって、
上記台座部が、受水開口部と、上面に形成された給水開口部と、受水開口部と給水開口部とを連通する台座流路とを有しており、
上記管路部が、その基端部に形成された、上記給水開口部に接続される入水口と、その先端部に形成された排水口と、入水口と排水口との間に形成された、上記給水開口部から水平方向に変位した横変位部とを有しており、
上記排水口が、上から鉛直下方に見る平面視で、上記横変位部から給水開口部側に離間して位置している給水器。
【請求項２】
上記管路部の排水口の上下方向における位置が、上記横変位部の上下方向の範囲内に存在する請求項１に記載の給水器。
【請求項３】
上記管路部が、入水口と横変位部との間に形成された、入水口から鉛直方向上向きに延びる立上り部と、横変位部と排水口との間に形成された、排水口に向けて鉛直方向下向きに延びる垂下部とを有しており、上記排水口が下方を向いている請求項１又は２に記載の給水器。
【請求項４】
上記排水口の中心の位置が、平面視で、入水口の中心と一致する位置、又は、その位置より横変位部と逆の方向に変位し且つ台座部の外輪郭より入水口側の位置である請求項１から３のいずれかに記載の給水器。
【請求項５】
上記台座部の平面視形状が、凹凸が形成された外周縁を有しており、
上記管路部の排水口の中心の位置が、平面視で、上記台座部の外周縁の隣接凸部の先端同士を結ぶ仮想直線の内側に存在する請求項１から４のいずれかに記載の給水器。
【請求項６】
上記管路部が、台座部に対して、受水開口部の中心を通る鉛直線周りに回転可能に構成されている請求項１から５のいずれかに記載の給水器。
【発明の詳細な説明】
【技術分野】
【０００１】
本発明は可搬式給水器に関する。さらに詳しくは、本発明は、給水源から受け入れた水を所望の場所で散水等することができる可搬式給水具に関する。
【背景技術】
【０００２】
このような可搬式給水具の一例として、登録実用新案第３００９６７２号公報に開示された水量調節弁付き放水スタンドが知られている。この放水スタンドは、スタンドと、このスタンドの上面の中央部に接続され、真っ直ぐ上方に延びたパイプと、このパイプの上端に接続された放水部とから構成されている。放水部には弁が装着されている。放水部は、パイプの上端から水平方向に延びている。スタンドの内部及びパイプの内部には通水路が形成されている。この放水スタンドによれば、上記スタンドと、家屋等の近辺に設置された給水源とを、ホース等によって連結し、家屋等から離れた場所に水栓柱を配置することが可能である。上記放水部の先端が、パイプから水平方向に離間しているため、放水部の先端には、コネクタ部材等を介して、大きい体積の灌水タイマー等を取り付けることができる。
【０００３】
特許第４０５１５８６号公報には、移動式立上り水栓が開示されている。この立上り水栓は、上記スタンドに類似したベースと、このベースの中央部から真っ直ぐ上方に延びた立上り管と、この立上り管の上端に接続された蛇口部とから構成されている。蛇口部には弁が装着されている。蛇口部は、立上り管の上端から水平方向に延びている。ベースの内部及び立上り管の内部には通水路が形成されている。蛇口部の先端が立上り管から水平方向に離間しているため、コネクタ部材等を介して、大きい体積の灌水タイマー等を取り付けることができる。
【０００４】
登録実用新案第３００９６７２号公報に開示された放水スタンドでは、その放水部に、大きい体積及び大きい重量を有する灌水タイマー等が取り付けられた場合、装置全体の安定性に問題が生じるおそれがある。この放水スタンドでは、パイプがスタンドの中央部から上方に真っ直ぐ伸び、放水部が水平方向に延びている。従って、放水部の先端に重量物が取り付けられると、放水スタンド全体の重心の位置が水平方向に大きく変化する。その結果、放水スタンドが転倒する可能性が生じる。特許第４０５１５８６号公報に開示された立上り水栓も、上記と同様の転倒の問題を含んでいる。
【先行技術文献】
【特許文献】
【０００５】
【特許文献１】登録実用新案第３００９６７２号公報
【特許文献２】特許第４０５１５８６号公報
【発明の概要】
【発明が解決しようとする課題】
【０００６】
本発明は、かかる現状に鑑みてなされたものであり、簡単な構成により、灌水タイマー等の付属物を安定した状態で付設することを可能にした可搬式給水器を提供することを目的としている。
【課題を解決するための手段】
【０００７】
本発明に係る給水器は、
台座部と、台座部から立ち上がるように台座部に取り付けられた管路部とを備えた給水器であって、
上記台座部が、受水開口部と、上面に形成された給水開口部と、受水開口部と給水開口部とを連通する台座流路とを有しており、上記管路部が、その基端部に形成された、上記給水開口部に接続される入水口と、その先端部に形成された排水口と、入水口と排水口との間に形成された、上記給水開口部から水平方向に変位した横変位部とを有しており、上記排水口が、上から鉛直下方に見る平面視で、上記横変位部から給水開口部側に離間して位置している。
【０００８】
かかる構成によれば、横変位部と排水口とが水平方向に離間しているので、排水口に灌水タイマー等の装着品が容易に取り付けられる。また、装着品の取付後の給水器全体の安定性が阻害されにくい。
【０００９】
上記管路部の排水口の上下方向における位置が、上記横変位部の上下方向の範囲内に存在するのが好ましい。
【００１０】
上記管路部は、入水口と横変位部との間に形成された、入水口から鉛直方向上向きに延びる立上り部と、横変位部と排水口との間に形成された、排水口に向けて鉛直方向下向きに延びる垂下部とを有し、上記排水口が下方を向くように構成されうる。
【００１１】
上記排水口の中心の位置は、平面視で、入水口の中心と一致する位置、又は、その位置より横変位部と逆の方向に変位し且つ台座部の外輪郭より入水口側の位置とすることもできる。
【００１２】
上記台座部の平面視形状が、凹凸が形成された外周縁を有しており、上記管路部の排水口の中心の位置が、平面視で、上記台座部の外周縁の隣接凸部の先端同士を結ぶ仮想直線の内側に存在するように構成されるのが好ましい。
【００１３】
上記管路部が、台座部に対して、受水開口部の中心を通る鉛直線周りに回転可能に構成されているのが好ましい。
【発明の効果】
【００１４】
本発明に係る給水器によれば、排水口への装着品の取付が容易であり、排水口への装着品の取付によっても給水器の安定性が阻害されにくい。
【図面の簡単な説明】
【００１５】
【図１】図１は、本発明の一実施形態に係る給水器の一使用態様を示す斜視図である。
【図２】図２は、図１の給水器の外形寸法の一例を示す一部断面正面図である。
【図３】図３は、本発明の他の実施形態に係る給水器を示す平面図である。
【図４】図４（ａ）は、本発明の一実施形態に係る給水器の、他の使用態様を示す正面図であり、図４（ｂ）は平面図である。
【図５】図５は、図４に示された使用態様の給水器を示す斜視図である。
【発明を実施するための形態】
【００１６】
以下、適宜図面が参照されつつ、好ましい実施形態に基づいて本発明が詳細に説明される。
【００１７】
図１及び図２に示された可搬式給水器（以下、単に給水器という）１は、台座部２と管路部３とを備えている。管路部３は、台座部２の上面から上方に立ち上がるように、台座部２に取り付けられている。管路部３は、後述するように、所定の目的に沿って屈曲している。図１の給水器１には、その管路部３の先端に灌水タイマー１００が取り付けられている。灌水タイマー１００にはホース１０１が取り付けられている。
【００１８】
ホース１０１は、止めリング１０２により、台座部２に対して長手方向のみの移動が自由となるように係止されている。この係止により、給水器１の搬送時に、給水器１と灌水タイマー１００等の装着品との連結部に加わる負荷が減少しうる。その結果、給水器１の耐久性が増大する。また、給水器１の搬送時において、ホース１０１が運搬者の足に引っかかることを防止することができ、安全性が向上する。上記のとおり、給水器１に装着される灌水タイマー１００等の装着品には、通常、流水ホースが装着されている。このホース１０１を係止する上記止めリング１０２は、ホース１０１を通すための貫通孔１０２Ａが開閉不能であってもよい。しかし、取り扱い性の向上の観点からは、貫通孔１０２Ａが開閉可能であるのが好ましい。すなわち、止めリング１０２を開いてそこにホース１０１を設置し、閉じてホース１０１を保持するタイプの止めリングが好ましい。
【００１９】
図２に示されるように、台座部２は、受水開口部４と、給水開口部５と、受水開口部４と給水開口部５とを連通する台座流路６とを有している。受水開口部４は台座部２の側部に設けられており、給水開口部５は台座部２の上面の中央部に設けられている。受水開口部４には、ホース等と接続するためのニップル部材ＮＰが取り付けられている。給水開口部５には、管路部３と接続するためのコネクタＣＮ１が取り付けられている。本実施形態では、台座部２は概ね円盤状を呈している。台座部２には開口７が形成されている。この開口７を利用して、ペグ等によって台座部２を土面に固定することが容易となる。しかし、本発明では、以上のような形状には限定されず、給水器１全体が安定した姿勢で地面等に載置されうる形状であればよい。なお、本実施形態では、給水開口部５にコネクタＣＮ１を配して管路部３と接続する形態としているが、本発明ではかかる構成に限定されない。例えば、コネクタＣＮ１を無くして、給水開口部５に管路部３を螺子機能による螺合接合、接着剤による接合、溶接による接合等の方法で直接に接続してもよい。また、台座部２と管路部３とを一体物として構成してもよい。
【００２０】
管路部３は、基端部に形成された入水口８と、先端部に形成された排水口９とを有している。入水口８及び排水口９はともに下方を向いている。入水口８は、上記コネクタＣＮ１を介して台座部２の給水開口部５に接続されている。排水口９にはコネクタＣＮ２が取り付けられている。排水口９には、このコネクタＣＮ２を介して、上記灌水タイマー１００等が取り付けられている。なお、本実施形態では、排水口９と灌水タイマー１００等をコネクタＣＮ２を介して取り付ける構成としているが、本発明ではかかる構成に限定されない。例えば、コネクタＣＮ２を使用せずに、排水口９と灌水タイマー１００等を、螺子機能による螺合接合等で直接に取り付ける構成としてもよい。
【００２１】
管路部３は、台座部２に取り付けられた姿勢で、入水口８から鉛直方向上向きに延びる立上り部１０と、横変位部１１と、垂下部１２とを有している。横変位部１１は、上から鉛直下方を見た平面視で、入水口８の位置（立上り部１０の位置）から、水平方向（横方向ともいう）に変位した部分であり、鉛直方向に延びている。立上り部１０の上端と横変位部１１の下端との間には、これら１０、１１に連続して下部湾曲部１３が形成されている。横変位部１１の上端と垂下部１２の上端との間には、これら１１、１２に連続して上部湾曲部１４が形成されている。下部湾曲部１３は概ねＳ字状を呈し、上部湾曲部１４は概ね半円状を呈している。垂下部１２の下端に上記排水口９が形成されている。
【００２２】
本実施形態では、平面視で、横変位部１１と垂下部１２（排水口９）とは、入水口８の位置を挟んで互いに反対側に位置している。排水口９の上下方向の位置は、横変位部１１の上下方向範囲の中にある。その結果、平面視で排水口９の位置が入水口８の位置（台座部２の中央）から大きく離れることなく、さらに、排水口９と管路部３の中間部分である横変位部１１との間には、大きなスペースが確保される。これにより、管路部３と干渉することなく、排水口９に灌水タイマー１００等が容易に取り付けられる。また、灌水タイマー１００等の取付後の給水器１全体の安定性が阻害されない。平面視での給水器１全体の重心位置が、台座部２の中央位置に近づくからであり、これにより、地面等に載置された台座部２に加わるモーメントが小さくなるからである。
【００２３】
本発明における管路部は、上記形状には限定されない。例えば、横変位部は上下方向に直線状に延びる形状に限定されず、円弧状等であってもよい。例えば、管路部全体が、入水口８から排水口９にかけて円弧状等を呈していてもよい。また、本発明では、排水口９が、平面視で入水口８を挟んで横変位部１１と反対側に位置することに限定されない。例えば、排水口９の位置は、平面視で入水口８の位置よりわずかに横変位部１１寄りにあってもよい。しかし、排水口９の中心位置は、平面視で入水口８の中心位置と一致しているか、又は、平面視で入水口８を挟んで横変位部１１と反対側であって且つ台座部２の外輪郭より入水口８側に位置するのがよい。排水口９に灌水タイマー１００等を取り付けたとき、平面視での給水器１全体の重心位置、及び／又は灌水タイマーなどの取付けされる器具と給水機１を合わせた重心位置が、台座部２の中央位置に一層近づき、台座部２に加わるモーメントがより一層小さくなるからである。なお、後述するような台座部２２の外形が円形でない場合には、上記台座部２の外輪郭を、後述する仮想境界に置き換えて規定する。
【００２４】
要するに、管路部の形状は、平面視で排水口９の中心位置が台座部２の中央から大きく離れることなく、排水口９と管路部３の中間部分である横変位部１１との間に大きなスペースが確保されるものであればよい。排水口９は、装着品が容易に取り付けられ、且つ、台座部２の中央にできるだけ近い位置、及び／又は、台座部２の外輪郭より内側の位置にするのが好ましい。
【００２５】
図２が参照されつつ、この給水器１における各部の寸法の好ましい範囲が説明される。なお、ここでは、各寸法の好ましい範囲は、給水器１にコネクタＣＮ１、ＣＮ２が取り付けられた状態でのものである。給水器１の全高、すなわち、台座部２の底面から上部湾曲部１４の上端までの寸法をＨ１とする。Ｈ１の値は２５０ｍｍ以上７００ｍｍ以下が好ましい。２５０ｍｍ未満では、灌水タイマー１００等の取り付け容易性を実現できる給水器１全体の寸法設定が容易ではなくなる。従って、Ｈ１は、３００ｍｍ以上がさらに好ましく、３２５ｍｍ以上が特に好ましい。７００ｍｍ超では、給水器１が大型化して取り扱い性及び運搬性が低下するおそれがある。従って、Ｈ１は、５５０ｍｍ以下がさらに好ましく、４００ｍｍ以下が特に好ましい。本実施形態では、Ｈ１＝３５０ｍｍとされている。
【００２６】
台座部２の上面から排水口９（つまり、コネクタＣＮ２の下端）までの寸法をＨ２とする。Ｈ２の値は１５０ｍｍ以上６００ｍｍ以下が好ましい。１５０ｍｍ未満では、灌水タイマー１００等の取り付け容易性を実現しにくくなったり、ホース１０１が屈曲してしまうおそれがある。従って、Ｈ２は、１７５ｍｍ以上がさらに好ましく、２００ｍｍ以上が特に好ましい。６００ｍｍ超では給水器１が大型化して取り扱い性及び運搬性が低下するおそれがある。従って、Ｈ２は、４５０ｍｍ以下がさらに好ましく、３００ｍｍ以下が特に好ましい。本実施形態では、Ｈ２＝２２５ｍｍとされている。なお、排水口９にコネクタＣＮ２を取り付けない状態での台座部２の上面から排水口９までの寸法（コネクタＣＮ２の寸法を含まない）については、上記と同様の理由で１８０ｍｍ以上６３０ｍｍ以下が好ましく、下限についてはさらに１０５ｍｍ以上、特に２３０ｍｍ以上、上限については、さらに４８０ｍｍ以下、特に３３０ｍｍ以下が好ましい。
【００２７】
台座部２の全高、すなわち、台座部２の底面から上端面（本実施形態では給水開口部５の位置）までの寸法をＨ３とする。Ｈ３は１０ｍｍ以上１００ｍｍ以下が好ましい。１０ｍｍ未満では台座部２の内部に台座流路６を形成しにくい。従って、Ｈ３は、２０ｍｍ以上がさらに好ましく、３０ｍｍ以上が特に好ましい。１００ｍｍ超では灌水タイマー１００等の取り付け容易性を実現できる給水器１全体の寸法設定がしずらくなったり、重くなって取り扱い性が悪くなるおそれがある。従って、Ｈ３は、８０ｍｍ以下がさらに好ましく、６０ｍｍ以下が特に好ましい。本実施形態では、Ｈ３＝５０ｍｍとされている。
【００２８】
本実施形態における台座部２は円盤状であるので、この台座部２の外径をＷ１とする。Ｗ１は１５０ｍｍ以上５００ｍｍ以下が好ましい。１５０ｍｍ未満では給水器１の安定性が悪くなるおそれがある。従って、Ｗ１は、１７５ｍｍ以上がさらに好ましく、２００ｍｍ以上が特に好ましい。また、５００ｍｍ超では、給水器１が大型化し、それに伴って重くなり、取り扱い性が悪くなるおそれがある。従って、Ｗ１は、４００ｍｍ以下がさらに好ましく、３００ｍｍ以下が特に好ましい。本実施形態では、Ｗ１＝２２０ｍｍとされている。
【００２９】
図３に示される給水器２１のように、台座部２２の外形が円形でない（非円形）場合は、台座部２２の外輪郭内の面積重心位置と、二点鎖線で示される仮想境界（すなわち、台座部２２の外輪郭の隣接凸部２３同士を結ぶ仮想直線）Ｂ上の各点との各離間距離のうち、一番短い距離がＷ１とされる。図３は、非円形の台座部の形状の一例を示している。なお、例えば台座部２２の外形が正方形である場合等においては、上記仮想境界Ｂは、台座部２２の外輪郭と一致する場合もある。
【００３０】
本実施形態における台座部２は円盤状であるので、この台座部２の半径（外径Ｗ１の１／２）をＷ２とする。図３に示されるように、台座部２２の外形が非円形の場合は、給水開口部５の中心位置と、上記仮想境界Ｂ上の各点との離間距離のうち、一番短い距離がＷ２とされる。Ｗ２は、７５ｍｍ以上２５０ｍｍ以下が好ましい。７５ｍｍ未満では給水器１の安定性が悪くなるおそれがある。従って、Ｗ２は、８５ｍｍ以上がさらに好ましく、１００ｍｍ以上が特に好ましい。また２５０ｍｍ超では、給水器１が大型化し、またそれに伴って重くなり、取り扱い性が悪くなるおそれがある。従って、Ｗ２は、２００ｍｍ以下がさらに好ましく、１５０ｍｍ以下が特に好ましい。本実施形態では、Ｗ２＝１１０ｍｍとされている。
【００３１】
平面視での排水口９の中心位置と横変位部１１の内側（入水口８側）端との離間距離をＷ３とする。Ｗ３は５０ｍｍ以上２５０ｍｍ以下が好ましい。５０ｍｍ未満では灌水タイマー１００等の取り付け容易性が実現されにくくなる。従って、Ｗ３は、７０ｍｍ以上がさらに好ましく、８０ｍｍ以上が特に好ましい。また２５０ｍｍ超では、給水器１が大型化し、それに伴って重くなり、取り扱い性が悪くなるおそれがある。従って、Ｗ３は、２００ｍｍ以下がさらに好ましく、１５０ｍｍ以下が特に好ましい。本実施形態では、Ｗ３＝９０ｍｍとされている。
【００３２】
平面視での給水開口部５の中心を通る鉛直線（図２に符号ＶＬで示す）と、横変位部１１の内側端との離間距離をＷ４とし、上記鉛直線ＶＬと排水口９の中心位置との離間距離をＷ５とする。Ｗ４／Ｗ５は、０．５以上２．０以下が好ましい。０．５未満では給水器１の使用時の安定性が低下する。従って、Ｗ４／Ｗ５は、０．７以上がさらに好ましく、０．８以上が特に好ましい。２．０超では給水器１の使用時の安定性が低下するおそれがある。従って、Ｗ４／Ｗ５は、１．５以下がさらに好ましく、１．３以下が特に好ましい。本実施形態では、Ｗ４／Ｗ５＝０．８とされている。
【００３３】
平面視での排水口９の中心位置と台座部２の外周縁との最短離間距離をＷ６とする。図３に示されるように、台座部２２の外形が円形でない場合は、排水口９の中心位置９Ｃと、上記仮想境界Ｂ上の各点との離間距離のうち、一番短い距離がＷ６とされる。Ｗ６は、２０ｍｍ以上１２５ｍｍ以下が好ましい。２０ｍｍ未満では給水器１の安定性が悪くなるおそれがある。従って、Ｗ６は、３５ｍｍ以上がさらに好ましく、５０ｍｍ以上が特に好ましい。１２５ｍｍ超では給水器１が大型化し、重量が増加して取り扱い性が低下するおそれがある。従って、Ｗ６は、１００ｍｍ以下がさらに好ましく、８０ｍｍ以下が特に好ましい。本実施形態では、Ｗ６＝６０ｍｍとされている。
【００３４】
台座部２の給水開口部５に対する、管路部３の入水口８の接続は、固定接続でもよく、着脱可能な接続でもよい。また、管路部３が台座部２に対して、給水開口部５の中心を通る鉛直線（図２に符号ＶＬで示す）回りに回転可能な接続でもよく、回転不能な接続でもよい。固定接続と着脱可能接続とを比較すれば、給水器１の運搬時及び保管時の収納性を追及する場合は着脱可能接続が好ましく、低コストを追求する場合は固定接続が好ましい。
【００３５】
回転可能接続と回転不能接続とを比較すれば、給水器１の使用時に装着品が多方向に向く事が要求される場合、及び／又は、耐久性が要求される場合は回転可能接続が好ましい。管路部３が台座部２に対して回転すれば、給水器１の使用時に、回転部周辺の部位への負荷が軽減されるからである。低コストが要求される場合は回転不能接続が好ましい。回転不能接続が選択される場合には、台座部２における受水方向（図１及び図２において矢印ＩＮで示される）と、管路部３の上部湾曲部１４における排水方向（図１及び図２において矢印ＥＸで示される）とが、平面視でほぼ一致しているのが好ましい。給水器１に灌水タイマー１００等が取付けられたとき、通水使用時等における地面に対する給水器１の着座安定性が向上するからである。上記「ほぼ一致」については、平面視で、上記受水方向ＩＮと上記排水方向ＥＸとの交差角が、２０°以下が好ましく、１０°以下がさらに好ましく、５°以下が特に好ましい。
【００３６】
図４及び図５には、給水開口部５の中心を通る鉛直線ＶＬの回りに管路部３が回転可能に接続された給水器１が示されている。図４には、管路部３が台座部２に対して図１及び図２に示される位置から１８０°回転した位置にある給水器１が示されている。このように管路部３を回転可能にするためには、給水開口部５と管路部３の入水口８とを接続するコネクタとして、回転可能なタイプのコネクタＣＮ１が採用される。また、ホース１０１を係止するための止めリング１０３（図５）は、管路部３の立上り部１０に取り付けられている。この止めリング１０３は開閉可能である。止めリング１０３は、開状態においては、その立上り部１０用貫通孔１０３Ａ及びホース１０１用貫通孔１０３Ｂはともに開放される。この止めリング１０３は、立上り部１０の回り、すなわち、上記鉛直線ＶＬの回りに回転位置が変更可能である。なお、上記止めリング１０３は、立上り部１０に非回転状態で固定されてもよい。立上り部１０自身が鉛直線ＶＬ回りに回転可能だからである。止めリング１０３が固定式である場合、装置が簡素化できて、故障防止及び低コスト化が可能となる。この止めリング１０３は、管路部３における立上り部１０以外の部位に取り付けられてもよい。なお、回転可能なタイプのコネクタＣＮ１を給水開口部５と管路部３の入水口８とを接続する箇所に設ける代わりに、管路部３の中間位置、例えば、立上り部
１０の中間位置に回転可能な部材を配する等して、管路部３に回転可能な機構を配設することもできる。
【００３７】
台座部２の受水開口部４及び給水開口部５、並びに、管路部３の入水口８及び排水口９における連結用付属品としては、水栓及び／又は散水などの用途に用いられるコネクタ、ホース継ぎ手、蛇口ニップルなどを採用することができる。例えば、株式会社タカギのホームページに公開されているような、コネクタ（Ｇ０７２ＦＪ、Ｇ０８６ＦＪ等）、ホース継ぎ手（Ｇ０４０ＦＪ、Ｇ０８４ＦＪ等）、蛇口ニップル（Ｇ０４３ＦＪ、Ｇ０６４ＦＪ、Ｇ０６５ＦＪ、Ｇ３１２、Ｇ３１５等）等が採用されうる。この給水器１には、上記の他、様々な連結機能品を付設することができる。又は、この給水器１は、様々な連結機能品が付設可能な構成とすることができる。
【００３８】
本実施形態では、上記台座部２の受水開口部４には、株式会社タカギ製の、ネジ付き蛇口ニップル（Ｇ０６５ＦＪ）等のニップル部材ＮＰが採用されている。又は、例えば、先端が雄ネジ構成の部材が採用されてもよい。台座部２の給水開口部５と管路部３の入水口８との接続には、両部材を雄ネジ及び雌メジで締め付け固定する方式のコネクタＣＮ１が採用されている。この方式の他に、台座部２と管路部３との接続部材として、例えば、株式会社タカギ製の、ネジ付き蛇口ニップルセット（Ｇ１５４ＦＪ等）が採用されうる。管路部３の排出口９には、先端が雄ネジ構成のコネクタＣＮ２が採用されている。この部材の他に、例えば、株式会社タカギ製の、ネジ付き蛇口ニップル（Ｇ０６５ＦＪ）等のニップル部材が採用されうる。
【００３９】
本給水器１に装着するものとしては、例えば、株式会社タカギ製の、水分センサー付き灌水タイマー（Ｇ２１５等）１００が例示されうる。また、灌水タイマー１００の他に、株式会社タカギ製の、ホースリール（ＲＳ５５０ＦＪＰＷ）が装着可能であり、株式会社タカギ製の、三方口コネクターのコック付き（Ｇ０９９ＦＪ）等の分岐コネクターが装着可能である。従って、例えば灌水タイマー１００を常時設置したり、また、灌水タイマー１００の設置と上記例示部材の設置とを変更することもできる。
【００４０】
台座部２の材料としては、金属材料や樹脂材料が使用可能である。このうち、比重が大きく安定するので金属材料が好ましい。特に比重５以上が好ましく、６以上がさらに好ましい。例えば、ステンレス鋼等の鉄系金属（比重＝８程度）、亜鉛合金（比重＝７程度）が好ましい。なお、亜鉛合金は、鋳造が容易であり、材料コストの低減も可能であるため、特に好ましい。本実施形態における台座部２は亜鉛合金から形成されている。
【００４１】
管路部３の材料としては、要求される剛性を確保するうえで金属材料が好ましい。鉄系金属、特に耐食性も考慮すると、例えば、ステンレス鋼（例えばＪＩＳ−Ｇ−４３０３−ＳＵＳ３０４等）、アルミニウム合金等がさらに好ましい。なお、耐食性、低コスト等を重視する場合はステンレス鋼が好ましい。管路部３の安定性のために軽量化を図る場合は、比重４以下、さらに３以下の金属とするのが好ましく、例えばアルミニウム合金（比重が約３程度）が好ましい。本実施形態における管路部３は、長手方向に延びる１本の継ぎ目を有するＳＵＳ３０４製の管状部材を採用した。なお、管路部３は継ぎ目のないシームレスタイプの管状金属部材から形成するのが好ましく、これにより、特に下部湾曲部１３や上部湾曲部１４のような湾曲部における水漏れを発生しにくくすることができる。
【００４２】
給水器１、２１の使用時の安定性を確保するために、（管路部３の材料の比重）／（台座部２材料の比重）の値は１．２以下、さらに０．９以下、特に０．７以下とするのが好ましい。なお、この比の下限については、材料入手上の制限、材料コストの理由により、０．１以上が好ましく、０．２以上がさらに好ましく、０．３以上が特に好ましい。
【００４３】
図１及び図５に示される止めリング１０２、１０３は、各種金属、樹脂等から形成することができる。図１における止めリング１０２は、ポリアミド樹脂製の円筒部位１０２Ｂと、それに繋がる図示しない金属製の雄ネジ部と接合した構造を有している。この図示しない雄ネジ部が、台座部２に設けられた図示しない雌ネジ部にネジ固定されている。図５における止めリング１０３は、ポリプロピレン樹脂から形成されている。止めリング１０３が開放された（横に広げられた）形態で射出成形される。この成形物が、ヒンジ部１０３Ｈで折り曲げられ、立上り部１０に巻いて取り付けられる。成形物の両端部に配された孔１０３Ｃとフック１０３Ｆとが係止され、立上り部１０に取付けられる。この止めリング１０３はホース１０１等の係止対象物を係止するもので、係止対象物が通される係止用通孔を備える。この係止用通孔の係止対象物が当接する部位を樹脂により形成するのがよい。これにより、係止対象物の傷付きを抑止でき、また、給水器を軽量化できる。例えば、図１及び図５に示される形態の場合は、円筒部材１０２Ｂや貫通孔１０３Ｂ部分の全体を樹脂により形成したり、円筒部材１０２Ｂや貫通孔１０３Ｂ部分を多層構造として、内面側に位置する層を樹脂により形成し、外面側の層を金属等で形成することができる。
【００４４】
なお、上述の実施形態の説明では、管路部３の先端に装着する器具として灌水タイマー１００を例示したが、本発明では、管路部３には、灌水タイマー以外の様々な器具を取付けて使用できる。例えば、給水器１の排水口９から吐出される水を２以上の流路に分岐できる分岐具や、給水器１の排水口９から吐出される水を広範囲に散布できるスプリンクラー等の器具を、管路部３の先端に取付けて使用することができる。
【産業上の利用可能性】
【００４５】
本発明に係る給水器は、所望の場所に搬送し、地上に載置して給水する装置として有用である。
【符号の説明】
【００４６】
１、２１・・・給水器
２、２２・・・台座部
３・・・管路部
４・・・受水開口部
５・・・給水開口部
６・・・台座流路
７・・・開口
８・・・入水口
９・・・排水口
１０・・・立上り部
１１・・・横変位部
１２・・・垂下部
１３・・・下部湾曲部
１４・・・上部湾曲部
２３・・・凸部
１００・・・灌水タイマー
１０１・・・ホース
１０２、１０３・・・止めリング
ＣＮ１、ＣＮ２・・・コネクタ
ＮＰ・・・ニップル部材
【図１】
2013007185.tif 000003
【図２】
2013007185.tif 000004
【図３】
2013007185.tif 000005
【図４】
2013007185.tif 000006
【図５】
2013007185.tif 000007